(57)【要約】【課題】  本発明は、銀行券、商品券等の束を束ごと目視で真偽判別することが可能な小切束及び小切束の判別方法に関する。【解決手段】  大判シートに小切が行方向及び列方向に複数配置され、大判シートを断裁して得られる小切が、同一方向に所定の枚数が重なった小切束（Ａ）において、ｉ）小切束の長辺の一方の側面の濃度と、長辺の他方の側面の濃度の違い、ｉｉ）小切束の短辺の一方の側面の濃度と、短辺の他方の側面の濃度の違いによって真偽判別を行う。【選択図】  図９
2012083957.tif 000002
【特許請求の範囲】
【請求項１】
大判シートに小切が行方向及び列方向に複数配置され、前記大判シートを断裁して得られる小切が、同一方向に所定の枚数が重なった小切束（Ａ）において、
ｉ）前記小切束の長辺の一方の側面の濃度と、長辺の他方の側面の濃度の違い、
ｉｉ）前記小切束の短辺の一方の側面の濃度と、短辺の他方の側面の濃度の違い、
前記ｉ）又は前記ｉｉ）によって判別することが可能であることを特徴とする小切束。
【請求項２】
大判シートに小切が行方向及び列方向に複数配置され、前記各小切の長辺の一方と長辺の他方、及び／又は短辺の一方と短辺の他方を跨って同一色の連続地紋画線が印刷され、前記大判シートを断裁して得られる小切が、同一方向に所定の枚数が重なった小切束（Ａ）において、
ｉ）前記小切束の長辺の一方の側面から視認可能な前記連続地紋画線の領域の濃度と、長辺の他方の側面から視認可能な前記連続地紋画線の領域の濃度の違い、
ｉｉ）前記小切束の短辺の一方の側面から視認可能な前記連続地紋画線の領域の濃度と、短辺の他方の側面から視認可能な前記連続地紋画線の領域の濃度の違い、
前記ｉ）又は前記ｉｉ）によって判別することが可能であることを特徴とする小切束。
【請求項３】
前記長辺の一方の側面は、断裁時にクランプに抑えられて断裁されることによって平滑性を有し、前記長辺の他方の側面は、断裁時にクランプに抑えられることなく断裁されることによって、前記一方の側面より平滑性が低く、
前記短辺の一方の側面は、断裁時にクランプに抑えられて断裁されることによって平滑性を有し、前記短辺の他方の側面は、断裁時にクランプに抑えられることなく断裁されることによって、前記一方の側面より平滑性が低いことを特徴とする請求項１又は２記載の小切束。
【請求項４】
請求項１又は２記載の前記小切束（Ａ）と、前記小切束（Ａ）を反転した小切束（Ｂ）を重ねた小切束（Ｃ）において、
前記小切束（Ｃ）の側面の長辺又は短辺の側面は、小切束（Ａ）の濃度と、小切束（Ｂ）の濃度の違いによって判別することが可能であることを特徴とする小切束。
【請求項５】
前記小切束Ａの側面の長さが、１０ｍｍ以上であることを特徴とする請求項１乃至４のいずれか一項に記載の小切束。
【請求項６】
前記連続地紋画線の色が、赤系色、青系色及び緑系色の少なくとも一色で形成されたことを特徴とする請求項１乃至５のいずれか一項に記載の小切束。
【請求項７】
大判シートに小切が行方向及び列方向に複数配置された各小切には、同一図柄が形成されたことを特徴とする請求項１乃至６のいずれか一項に記載の小切束。
【請求項８】
前記小切束が銀行券又はパスポートであることを特徴とする請求項１乃至７のいずれか一項に記載の小切束。
【請求項９】
請求項１乃至８に記載のいずれか一項の小切束の判別方法において、
第１の照射部によって前記小切束の長辺又は短辺の一方の側面に光源を照射し、
第２の照射部によって前記小切束の長辺又は短辺の他方の側面に光源を照射し、
第１の撮影部によって、前記光源を照射した長辺又は短辺の一方の側面を撮影し、第１の側面画像を取得し、
第２の撮影部によって、前記光源を照射した長辺又は短辺の一方の側面を撮影し、第２の側面画像を取得し、
演算部によって、前記第１の側面画像を、あらかじめ記憶部に登録している第１の平均側面画像と比較し、第１の類似度を算出し、前記第１の類似度から第１の統計値を算出し、前記第１の統計値とあらかじめ記憶部に登録している第１の基準値と比較し、
前記第２の側面画像を、あらかじめ記憶部に登録している第２の平均側面画像と比較し、第２の類似度を算出し、前記第２の類似度から第２の統計値を算出し、前記第２の統計値とあらかじめ記憶部に登録している第２の基準値と比較し、
前記第１の統計値が前記第１の基準値内であり、かつ、前記第２の統計値が前記第２の基準値内である場合に「真」と判別し、前記第１の統計値が前記第１の基準値外、又は、前記第２の統計値が前記第２の基準値外である場合に「偽」と判別することを特徴とする小切束の判別方法。
【請求項１０】
請求項４乃至８に記載のいずれか一項の小切束の判別方法において、
照射部によって前記小切束の長辺又は短辺の側面に光源を照射し、
撮影部によって、前記光源を照射した長辺又は短辺の側面を撮影し、側面画像を取得し、
演算部によって、前記側面画像を、あらかじめ記憶部に登録している平均側面画像と比較し、類似度を算出し、前記類似度から統計値を算出し、
前記統計度とあらかじめ記憶部に登録している基準値と比較し、
前記統計値が前記基準値内である場合に「真」と判別し、前記基準値外である場合に「偽」と判別することを特徴とする小切束の判別方法。
【発明の詳細な説明】
【技術分野】
【０００１】
本発明は、銀行券、商品券等の束を束ごと目視で真偽判別することが可能な小切束及び小切束の判別方法に関する。
【背景技術】
【０００２】
従来、銀行券、商品券などの貴重製品には、様々な偽造防止技術が開示されている。例えば、製紙工程で付与するスレッドや蛍光繊維、又は、印刷工程で付与するスクリーン印刷や凹版印刷、更には、印刷工程後の別工程で付与するホログラムやレーザ穿孔などが代表的である。しかし、これら技術を貴重製品に付与するには、高価な印刷用諸材料と専用の製造装置が必要となる。
【０００３】
これらの真偽判別方法としては、道具を用いない方法として、スレッド、ホログラム又はレーザ穿孔のように、角度を変えて視認し判別する技術や、凹版印刷物のように触感で判別する技術がある。また、簡易的な道具を用いる方法として、微小文字のようにルーペで判別する技術や蛍光繊維などを蛍光ランプで判別する技術がある。さらには、特別な道具を用いる方法として、赤外線反射吸収ペア印刷物のように、赤外線モニタで判別する技術がある。
【０００４】
しかし、上記記載のような真偽判別方法による印刷物を作製する上では、高価な印刷用諸材料及び専用の製造装置が必要となり、印刷物のコストがかなり高くなるという課題がある。
【０００５】
特殊な諸材料を用いないで偽造防止印刷物を作製する方法としては、レーザ加工機を用いて、基材に微細な穿孔をあけて、真偽判別する方法が開示されている（特許文献１）。
【０００６】
また、レーザ加工機を用いて、冊子の側面を加工し、切り欠きを形成する方法が開示されている（特許文献２）。
【０００７】
しかし、これらの先行技術は、諸材料は必要としないが、高価なレーザ加工機が必要となるという課題があった。
【０００８】
一方、銀行券、商品券等の貴重製品は、一枚一枚がバラバラにならないように、複数枚の束として帯封される。帯封は、一枚一枚がバラバラにならないようにするとともに、容易に枚数を把握する効果を有する。また、特殊な帯封がされている束は、その束の全体が本物であることを保障している。そのため、貴重製品の束を結束する帯封自体には、真偽判別可能な特殊な材料を付加する必要があった。
【０００９】
例えば、有価証券と、有価証券を十文字状に帯封する横帯体と縦帯体の交差部において、横帯体及び縦帯体の両者に跨るように貼付された蛍光物質を含む製品保証テープを備えてなる封緘有価証券類が開示されている（特許文献３）。
【００１０】
しかし、特許文献３の技術は、貴重製品の束を結束する帯封に貼付された蛍光物質を含む製品保証テープ自体によって、真偽判別するものであり、実際の貴重製品の束自体を真偽判別するものではなかった。つまり、帯封がなければ貴重製品を束ごと真偽判別することが不可能であった。
【先行技術文献】
【特許文献】
【００１１】
【特許文献１】特表２０００−５０１０３６号公報
【特許文献２】特許第３７８５４７９号公報
【特許文献３】特許第４２５０７３６号公報
【発明の開示】
【発明が解決しようとする課題】
【００１２】
本発明は、上記課題の解決を目的とするものであり、特殊な材料及び製造装置を用いず、通常の印刷に用いる製造装置で作製した大判シートを断裁し、得られた所定の枚数の小切を小切束とし、従来のような帯封がなくても小切束ごと目視によって容易に真偽判別することが可能であるとともに、特殊な判別道具を用いず、簡易的な機器で真偽判別することができることを課題としている。
【課題を解決するための手段】
【００１３】
本発明は、大判シートに小切が行方向及び列方向に複数配置され、大判シートを断裁して得られる小切が、同一方向に所定の枚数が重なった小切束（Ａ）において、ｉ）小切束の長辺の一方の側面の濃度と、長辺の他方の側面の濃度の違い、ｉｉ）小切束の短辺の一方の側面の濃度と、短辺の他方の側面の濃度の違い、ｉ）又はｉｉ）によって判別することが可能であることを特徴とする小切束である。
【００１４】
また、本発明は、大判シートに小切が行方向及び列方向に複数配置され、各小切の長辺の一方と長辺の他方、及び／又は短辺の一方と短辺の他方を跨って同一色の連続地紋画線が印刷され、大判シートを断裁して得られる小切が、同一方向に所定の枚数が重なった小切束（Ａ）において、ｉ）小切束の長辺の一方の側面から視認可能な連続地紋画線の領域の濃度と、長辺の他方の側面から視認可能な連続地紋画線の領域の濃度の違い、ｉｉ）小切束の短辺の一方の側面から視認可能な連続地紋画線の領域の濃度と、短辺の他方の側面から視認可能な連続地紋画線の領域の濃度の違い、ｉ）又はｉｉ）によって判別することが可能であることを特徴とする小切束である。
【００１５】
また、本発明の長辺の一方の側面は、断裁時にクランプに抑えられて断裁されることによって平滑性を有し、長辺の他方の側面は、断裁時にクランプに抑えられることなく断裁されることによって、一方の側面より平滑性が低く、短辺の一方の側面は、断裁時にクランプに抑えられて断裁されることによって平滑性を有し、短辺の他方の側面は、断裁時にクランプに抑えられることなく断裁されることによって、一方の側面より平滑性が低いことを特徴とする小切束である。
【００１６】
また、本発明は、小切束（Ａ）と、小切束（Ａ）を反転した小切束（Ｂ）を重ねた小切束（Ｃ）において、小切束（Ｃ）の側面の長辺又は短辺の側面は、小切束（Ａ）の濃度と、小切束（Ｂ）の濃度の違いによって判別することが可能であることを特徴とする小切束である。
【００１７】
また、本発明は、小切束Ａの側面の長さが、１０ｍｍ以上であることを特徴とする小切束である。
【００１８】
また、本発明は、連続地紋画線の色が、赤系色、青系色及び緑系色の少なくとも一色で形成されたことを特徴とする小切束である。
【００１９】
また、本発明は、大判シートに小切が行方向及び列方向に複数配置された各小切には、同一図柄が形成されたことを特徴とする小切束である。
【００２０】
また、本発明は、小切束が銀行券又はパスポートであることを特徴とする小切束である。
【００２１】
また、本発明は、小切束の判別方法において、第１の照射部によって小切束の長辺又は短辺の一方の側面に光源を照射し、第２の照射部によって小切束の長辺又は短辺の他方の側面に光源を照射し、第１の撮影部によって、光源を照射した長辺又は短辺の一方の側面を撮影し、第１の側面画像を取得し、第２の撮影部によって、光源を照射した長辺又は短辺の一方の側面を撮影し、第２の側面画像を取得し、演算部によって、第１の側面画像を、あらかじめ記憶部に登録している第１の平均側面画像と比較し、第１の類似度を算出し、第１の類似度から第１の統計値を算出し、第１の統計値とあらかじめ記憶部に登録している第１の基準値と比較し、第２の側面画像を、あらかじめ記憶部に登録している第２の平均側面画像と比較し、第２の類似度を算出し、第２の類似度から第２の統計値を算出し、第２の統計値とあらかじめ記憶部に登録している第２の基準値と比較し、第１の統計値が第１の基準値内であり、かつ、第２の統計値が第２の基準値内である場合に「真」と判別し、第１の統計値が第１の基準値外、又は、第２の統計値が第２の基準値外である場合に「偽」と判別することを特徴とする小切束の判別方法である。
【００２２】
また、本発明は、小切束の判別方法において、照射部によって小切束の長辺又は短辺の側面に光源を照射し、撮影部によって、光源を照射した長辺又は短辺の側面を撮影し、側面画像を取得し、演算部によって、側面画像を、あらかじめ記憶部に登録している平均側面画像と比較し、類似度を算出し、類似度から統計値を算出し、統計度とあらかじめ記憶部に登録している基準値と比較し、統計値が基準値内である場合に「真」と判別し、基準値外である場合に「偽」と判別することを特徴とする小切束の判別方法である。
【発明の効果】
【００２３】
本発明の小切束は、特殊な印刷材料や製造装置を使用することなく、通常の印刷機及び断裁機で作製できる。また、本発明の小切束は、複数枚の小切を所定の方法で重ね、その側面を目視で視認し、シート色及び／又は連続地紋画線の色の差異で真偽判別することが可能なため、帯封を用いることなく、特別な道具を使用せず、容易に実施できる。さらに、大量の偽造品が発生した場合、１枚１枚で真偽判別することなく、複数枚重ねることで瞬時に真偽判別ができるため、真偽判別する時間が大幅に短縮できる。また、判別機器を用いることなく、簡易的な機器で真偽判別することができる。
【図面の簡単な説明】
【００２４】
【図１】本発明の印刷物の概要図である。
【図２】本発明の印刷物の積層状態の概要図である。
【図３】本発明の印刷物の断裁方法の概要図である。
【図４】本発明の印刷物の断裁方法の概要図である。
【図５】本発明の印刷物の断裁方法の概要図である。
【図６】本発明の小切束の概要図である。
【図７】本発明の短冊を小切束とする概要図である。
【図８】本発明の印刷物の拡大図である。
【図９】本発明の小切束真偽判別方法の概要図である。
【図１０】本発明の簡易的な機器を用いた真偽判別方法の概略図である。
【図１１】本発明の簡易的な機器を用いた真偽判別方法の概略図である。
【発明を実施するための形態】
【００２５】
本発明の具体的な構成を説明するが、本発明の技術的思想に含まれ実施できれば、本形態に限定されるものではない。
【００２６】
（小切束の作製）
図１は本発明の偽造防止印刷物の概要図であり、大判シート１０に印刷物１となる小切８面分（２行×４列）を設ける。例えば、小切となる印刷物１には、料額、連続地紋画線及び人像をオフセット印刷し、図中の点線部内には用紙製造段階で、すかしを形成した貴重印刷物である。図１に示す各小切となる印刷物１は、料額、連続地紋画線及び人像が同一のものとなっているが、本発明は、これに限定されることなく、連続地紋画線が同一であればその他のデザインは異なっていてもよい。この時、大判シート１０は、各印刷物１に渡って連続した縦方向及び横方向の連続地紋画線Ｊを付与している。なお、本発明の印刷物１に付与する偽造防止技術には制限はなく、凹版印刷、グラビア印刷、フレキソ印刷、パール印刷、ホログラムやレーザ加工などで付与しても構わない。なお、ここでいう「連続地紋画線」とは、断裁前の大判シート１０では、各印刷物１の隣接した長辺及び／又は短辺に連続的に設けた地紋画線をいい、一方、断裁後の印刷物１では、長辺及び／又は短辺の端部まで設けた地紋画線をいう。
【００２７】
図１では、長辺及び短辺の両方に連続地紋画線が設けられているが、本発明はこれに限定されることなく、長辺又は短辺のいずれか一方に形成すればよい。また、図１では、連続地紋画線は、複数の曲画線で形成しているが、本発明は、これに限定されることなく、直万線、曲万線、同心円万線、幾何学模様等を用いることができる。また、各画線の画線幅は、特に限定されるものではない。
【００２８】
次に、図２に印刷後の大判シート１０の断裁方法を示す。断裁方法は、通常、生産性の理由から大判シート１０を同一方向に重ねて断裁する。重ねた大判シート１０’の枚数は１００〜５００枚が一般的である。なお、カッコの数字は断裁順序を示しており、例えば、大判シート１０’を（１）〜（３）で短冊に断裁した後、（４）〜（８）で小切の印刷物１となる。
【００２９】
図３〜図５は、通常の断裁機で大判シート１０’を断裁する模式図であり、まず、大判シート１０’を短冊Ａ１と短冊Ａ２とに断裁する。図３（ａ）は、断裁機の定盤上に大判シート１０’を置き、バックフェンスＢを所定の量を移動した後、用紙１０’をバックフェンスＢに押し当てる。次に、図３（ｂ）のように、大判シート１０’をクランプＰで圧力を加えて抑えた後、図３（ｃ）のように、断裁刃Ｈを下降し、余白部Ｙを断裁する。なお、図中のカッコの数字は、断裁する順番と位置である。
【００３０】
さらに、図４（ａ）、（ｂ）、（ｃ）は短冊Ａ１、図５（ａ）、（ｂ）、（ｃ）は短冊Ａ２を断裁する模式図であり、断裁方法は前述と同様である。
【００３１】
次に、図２に示すように、短冊Ａ１と短冊Ａ２を（４）〜（８）の順序で断裁することで小切束Ｋとなる。例えば、図示しない断裁機のバックフェンスに短冊Ａ１と短冊Ａ２との断裁していない一方の側面を押し当て、図３〜図５の断裁方法と同様に断裁し、小切束Ｋを作製する。このように、大判シート１０’から本発明の小切束を作製することができる。
【００３２】
したがって、本発明の小切束の小切は、最低限の設備、具体的には、印刷機と断裁機があれば作製でき、特殊な装置は使用しない。なお、本発明でいう「小切束」とは、小切を所定の枚数、重ねた積層体をいう。また、「反転」とは、一方の小切束に対して、他方の小切束を天地方向で１８０度回転させることをいう。更に、「印刷情報」とは、基材に印刷する文字、数字、図形、図柄などの情報をいう。
【００３３】
（真偽判別方法の原理）
次に、印刷物１の小切束Ｋを用いて真偽判別する方法を説明する。本発明の真偽判別方法の特徴は、小切束Ｋの側面の色の差異で真偽判別する、又は、二つの小切束Ｋを用い、一方の小切束Ｋを反転し重ねた後、各小切束Ｋの側面の色の差異で真偽判別することが特徴である。
【００３４】
図６は、短冊Ａ１又は短冊Ａ２を断裁し、小切束Ｋとなる模式図である。この時、小切束Ｋの側面は、図４及び図５に示すように、クランプＰで抑えられた側面Ｄ１とクランプＰで抑えられない側面Ｄ２となる。具体的には、小切束Ｋの天を上にした場合、長辺の上辺は側面Ｄ１、長辺の下辺は側面Ｄ２、他方、短辺の右辺は側面Ｄ２、短辺の左辺は側面Ｄ１となる。したがって、図３〜図５に示した本発明の断裁方法では、小切束Ｋの長辺の一方は側面Ｄ１、他方には側面Ｄ２、一方で、小切束Ｋの短辺の一方は側面Ｄ１、他方には側面Ｄ２を夫々備え、且つ、側面Ｄ１と側面Ｄ２の位置は常に一定である。
【００３５】
次に、小切束Ｋの側面Ｄ１と側面Ｄ２との断面状態の差異について説明する。図７は、小切束Ｋの側面を拡大した図である。まず、側面Ｄ１の表面状態は、クランプにより圧縮された状態で断裁されるため、その切口は１枚１枚のシートで平滑性が高く、且つ、切口の繊維状態は、断裁方向と同一方向に配向される。一方、側面Ｄ２は、クランプにより圧縮されない状態で断裁されるため、引き千切られるような状態で断裁され、その切口は１枚１枚のシートで凸状となり、且つ、切口の繊維状態には方向性はない。つまり、側面Ｄ１の表面状態は、側面Ｄ２の表面状態に比べて平滑性が優れている。例えば、表面粗さ計で側面Ｄ１の表面状態と側面Ｄ２の表面状態を比べた場合は、側面Ｄ１の表面の粗さの方が低い結果となる。
【００３６】
また、図８は小切束Ｋの側面Ｄ１と小切束Ｋの側面Ｄ２を観察した図である。小切束Ｋの側面Ｄ１は平滑性が高いため、所定の光源に対し正反射するが、一方、側面Ｄ２は凹凸状なため、所定の光源に対し乱反射する。このため、側面Ｄ１と側面Ｄ２とは濃度差が生じ、その結果、色の濃淡として視認できる。
【００３７】
次に、小切束Ｋの側面から視認できる連続地紋画線について説明する。側面Ｄ１の連続地紋画線ＤＪ１は、側面Ｄ１は平滑性が高いため、連続地紋画線ＤＪ１の現出は少なく、連続地紋画線ＤＪ１の色が淡く視認できる。一方、側面Ｄ２は凸状となるため、側面Ｄ２の連続地紋画線ＤＪ２の現出は連続地紋画線ＤＪ１と比較して多いため、連続地紋画線ＤＪ２の色が濃く視認できる。このため、側面Ｄ１の連続地紋画線ＤＪ１と側面Ｄ２の連続地紋画線ＤＪ２とは濃度差が生じ、その結果、色の濃淡として視認できる。
【００３８】
したがって、本発明の真偽判別方法は、側面Ｄ１と側面Ｄ２とのシートの色及び／又は連続地紋画線の色の濃度差によって真偽判別でき、濃度差が視認できれば真正品、濃度差が視認できなければ偽造品となる。
【００３９】
（小切束Ｋの第１の真偽判別方法）
まず、小切束Ｋの第１の真偽判別方法として、シートの色の差異によって真偽判別する方法を説明する。例えば、図９の小切束Ｋは、図１〜図６で説明した小切束Ｋを拡大したものである。小切束Ｋは、印刷物１の積層体であり、印刷物１には、料額、人像及び連続地紋画線Ｊをオフセット印刷で印刷している。
【００４０】
図９（ａ）のように、小切束Ｋの側面は、長辺の上辺は側面Ｄ１、下辺は側面Ｄ２、短辺の右辺は側面Ｄ１、右辺は側面Ｄ２となる。この時、小切束Ｋの各側面は、側面Ｄ１と側面Ｄ２が配置され、表面状態が異なる側面を有する。この時、図８に示すように、側面Ｄ１と側面Ｄ２を視認した時、側面Ｄ１の色に対し側面Ｄ２の色は濃く認識され、色の濃度差が視認できたため、真正品として判別できる。
【００４１】
（小切束２Ｋの第１の真偽判別方法）
次に、小切束２Ｋの第１の真偽判別方法として、シートの色の差異によって真偽判別する方法を説明する。
【００４２】
図９（ａ）のように、小切束Ｋの側面は、長辺の上辺は側面Ｄ１、下辺は側面Ｄ２、短辺の右辺は側面Ｄ１、右辺は側面Ｄ２となる。次に、図９（ｂ）は、図９（ａ）の小切束Ｋを反転させたものである。この時、小切束Ｋの側面は、長辺の上辺は側面Ｄ２、下辺は側面Ｄ１、短辺の右辺は側面Ｄ２、右辺は側面Ｄ１となり、図９（ａ）の小切束Ｋと側面が逆の構成となる。
【００４３】
次に、図９（ｃ）は、図９（ａ）の小切束Ｋと図９（ｂ）の小切束Ｋを重ねた小切束２Ｋの模式図を示す。この時、小切束２Ｋの各側面は、側面Ｄ１と側面Ｄ２が配置され、表面状態が異なる側面を有する。この時、図８に示すように、側面Ｄ１と側面Ｄ２を視認した時、側面Ｄ１の色に対し側面Ｄ２の色は濃く認識され、色の濃度差が視認できたため、真正品として判別できる。
【００４４】
（小切束Ｋの第２の真偽判別方法）
次に、第２の真偽判別方法として、連続地紋画線の色の差異で判別する方法を説明する。小切束Ｋの第１の真偽判別方法と思想は同一なため、同様な構成は説明を省略し、異なる構成のみ説明する。図９（ａ）のように、小切束Ｋの印刷物１には、連続地紋画線Ｊが配置されている。この時、小切束Ｋの側面では、側面Ｄ１では連続地紋画線ＤＪ１、側面Ｄ２では連続地紋画線ＤＪ２が視認できる。したがって、小切束Ｋの側面は、長辺の上辺は連続地紋画線ＤＪ１、下辺は連続地紋画線ＤＪ２、短辺の右辺は連続地紋画線ＤＪ１、右辺は連続地紋画線ＤＪ２となる。この時、図８に示すように、側面Ｄ１の連続地紋画線ＤＪ１と側面Ｄ２の連続地紋画線ＤＪ２を視認した時、側面Ｄ１の色に対し側面Ｄ２の色は濃く認識され、色の濃度差が認識できたため、真正品として判別できる。
【００４５】
（小切束２Ｋの第２の真偽判別方法）
次に、第２の真偽判別方法として、連続地紋画線の色の差異で判別する方法を説明する。小切束Ｋの第１の真偽判別方法と思想は同一なため、同様な構成は説明を省略し、異なる構成のみ説明する。図９（ａ）のように、小切束Ｋの印刷物１には、連続地紋画線Ｊが配置されている。この時、小切束Ｋの側面では、側面Ｄ１では連続地紋画線ＤＪ１、側面Ｄ２では連続地紋画線ＤＪ２が視認できる。したがって、小切束Ｋの側面は、長辺の上辺は連続地紋画線ＤＪ１、下辺は連続地紋画線ＤＪ２、短辺の右辺は連続地紋画線ＤＪ１、右辺は連続地紋画線ＤＪ２となる。また、図９（ｂ）は、図９（ａ）の小切束Ｋを反転させたものである。この時、小切束Ｋの側面は、長辺の上辺は連続地紋画線ＤＪ２、下辺は連続地紋画線ＤＪ１、短辺の右辺は連続地紋画線ＤＪ２、右辺は連続地紋画線ＤＪ１となり、図９（ａ）の小切束Ｋと連続地紋画線が逆の構成となる。
【００４６】
次に、図９（ｃ）は、図９（ａ）の小切束Ｋと図９（ｂ）の小切束Ｋを重ねた小切束２Ｋの模式図を示す。小切束２Ｋの各側面は、連続地紋画線ＤＪ１と連続地紋画線ＤＪ２が配置される。この時、図８に示すように、側面Ｄ１の連続地紋画線ＤＪ１と側面Ｄ２の連続地紋画線ＤＪ２を視認した時、側面Ｄ１の色に対し側面Ｄ２の色は濃く認識され、色の濃度差が認識できたため、真正品として判別できる。
【００４７】
なお、本発明の小切束Ｋ又は小切束２Ｋに対して、第１の真偽判別ではシートの色、第２の真偽判別では連続地紋画線の色の差異で真偽判別したが、第１と第２の真偽判別を組み合せることで、容易に真偽判別ができる。さらに、小切束２Ｋの真偽判別方法は、各小切束Ｋの側面の長さは重ねることで、色の差異が顕著に視認できるため、少なくとも３ｍｍ以上、好ましくは１０ｍｍ以上が望ましい。小切束Ｋの真偽判別方法は、上下の側面又は左右の側面で色の差異を判別するため、１０ｍｍ以上が望ましい。
【００４８】
また、シート色には制限はなく、白色でも、小切束Ｋ’での反射光の差異が視認できる。一方、連続地紋画線の色は、薄い色では濃度差が顕著にならないためで、濃い色が望ましい。例えば、デザインを考慮して、赤系色、青系色、緑系色が好適である。
【００４９】
本発明の小切束Ｋ又は小切束２Ｋは、上記記載のように人間の目視によって容易に真偽判別することが可能である。また、本発明の小切束Ｋ又は小切束２Ｋは、簡易機器によって真偽判別又は品質管理を行うことができる。簡易機器による真偽判別方法について、図１０及び図１１に示す。
【００５０】
（小切束Ｋの簡易機器２０Ａによる真偽判別方法）
図１０に連続地紋を有する小切束Ｋを真偽判別するための簡易機器２０Ａの一例を示す。簡易機器２０Ａは、第１の照射部２１Ａ、第２の照射部２１Ｂ、第１の撮影部２２Ａ、第２の撮影部２２Ｂ、演算部２３及び記憶部２４を有する。簡易機器２０Ａの被対象物は、図９（ａ）に示す小切束Ｋで説明しているが、図９（ｃ）に示す小切束２Ｋであっても可能である。
【００５１】
第１の照射部２１Ａは、小切束Ｋの長辺又は短辺の一方の側面に光源を照射する。図１０は、短辺の側面Ｄ１に照射した例を示している。第２の照射部２１Ｂは、小切束Ｋの長辺又は短辺の他方の側面に光源を照射する。図１０は、短辺の側面Ｄ２に照射した例を示している。第１の照射部２１Ａ及び２１Ｂは、白熱球、発光ダイオード、ハロゲンランプ、ＨＩＤランプ、ＬＥＤスポット照明等の光を照射できるものであれば特に限定されるものではない。
【００５２】
第１の撮影部２２Ａは、第１の照射部２１Ａの光源を照射した長辺又は短辺の一方の側面を撮影し、第１の側面画像を取得する。図１０は、短辺の連続地紋ＤＪ１を含む側面Ｄ１の側面画像を取得している例を示している。第２の撮影部２２Ｂは、第２の照射部２１Ｂの光源を照射した長辺又は短辺の一方の側面を撮影し、第２の側面画像を取得する。図１０は、短辺の連続地紋ＤＪ２を含む側面Ｄ２の側面画像を取得している例を示している。第１の撮影部２２Ａ及び２２Ｂは、ＣＣＤラインセンサカメラ又はＣＣＤエリアセンサカメラ等によって側面Ｄ１又はＤ２の反射画像データが取得できれば特に限定されるものではない。なお、撮影した側面画像は、位置補正処理、シェーディング補正等の一般的な画像処理によって補正することができる。
【００５３】
演算部２３は、第１の側面画像を、あらかじめ記憶部２４に登録している第１の平均側面画像と比較し、第１の類似度を算出し、第１の類似度から第１の統計値を算出し、第１の統計値とあらかじめ記憶部２４に登録している第１の基準値と比較する。さらに、第２の側面画像を、あらかじめ記憶部２４に登録している第２の平均側面画像と比較し、第２の類似度を算出し、第２の類似度から第２の統計値を算出し、第２の統計値とあらかじめ記憶部２４に登録している第２の基準値と比較する。比較結果において、第１の統計値が第１の基準値内であり、かつ、第２の統計値が第２の基準値内である場合に「真」と判別し、第１の統計値が第１の基準値外、又は、第２の統計値が第２の基準値外である場合に「偽」と判別する。
【００５４】
第１の平均側面画像及び第２の平均側面画像は、複数の側面画像を画素単位で平均して得られるものである。また、第１の類似度は、第１の側面画像と第１の平均側面画像の画素単位の濃度の差の総和を類似度として算出するものである。同様に、第２の類似度は、第２の側面画像と第２の平均側面画像の画素単位の濃度の差の総和を類似度として算出するものである。第１の統計値は、第１の類似度からヒストグラム、平均、分散等を算出した値である。同様に、第２の統計値は、第２の類似度からヒストグラム、平均、分散等を算出した値である。具体的に演算部２３は、コンピュータに備えた中央演算処理装置（ＣＰＵ）である。
【００５５】
記憶部２４は、第１の平均側面画像、第２の平均側面画像、第１の基準値及び第２の基準値が登録できる媒体であれば特に限定されることがなく、ハードディスク、フィレキシブルディスク、ＭＯ及びＵＳＢ等が挙げられる。
【００５６】
（小切束Ｋ２の簡易機器２０Ｂによる真偽判別方法）
図１１に連続地紋を有する小切束Ｋ２を真偽判別するための簡易機器２０Ｂの一例を示す。簡易機器２０Ｂは、照射部２１、撮影部２２、演算部２３及び記憶部２４を有する。各部の機能については、簡易機器２０Ａと同等である。ただし、簡易機器２０Ｂの被対象物は、図９（ｃ）に示す小切束２Ｋである。
【００５７】
（実施例１）
例えば、図１に示す大判シート１０は、大きさは８００×３５０ｍｍ、厚みが１．０ｍｍの上質紙を用いた。印刷物１の１枚の大きさは、１５０×７５ｍｍとして、料額、連続地紋画線及び人像をオフセット印刷で行った。なお、シート色は淡い黄色、連続地紋画線は青色とした。次に、図２に示すように、印刷した大判シート１０を５００枚重ねて断裁機で断裁した。断裁条件は、クランプ幅７０ｍｍとして、約３（ｔ）の圧力で押圧し、図３、４、５又は６に示すように、まず、短冊断裁した後、小切に断裁し、５００枚の小切束Ｋを作製した。
【００５８】
次に、真偽判別方法として、図７に示すように、１０枚の小切束Ｋの上に、反転した１０枚の小切束Ｋを重ねた小切束２Ｋとし、図９に示すように、小切束Ｋ２の側面を視認した結果、用紙色では、側面Ｄ１は淡い黄色、側面Ｄ２は濃い黄色、一方、連続地紋画線の色では、側面Ｄ１は淡い青色、側面Ｄ２は濃い青色の濃度差が目視で確認できた。一方、複製物では、断裁条件等が同一でないため、小切束２Ｋの側面を視認した結果、用紙色又は連続地紋画線の色の濃度差は再現できず、偽造品として判別できた。
【００５９】
（実施例２）
実施例１で作製した１０００枚の小切束Ｋと、５００枚の小切束Ｋの上に、反転した５００枚の小切束Ｋを重ねた小切束２Ｋの真偽判別を行った。実施例２では、小切束２Ｋを「真」とし、小切束Ｋを「偽」と仮定した。小切束Ｋを図１１に示す簡易機器２Ｂで真偽判別を行った。
【００６０】
まず、小切束Ｋが、小切束２Ｋの右側の短辺の平均側面画像と比較し、「偽」と判定されるように実施を行った。照射部にはＬＥＤライトを用いて、光源を照射し、撮影部には、ＣＣＤラインカメラで側面画像を取得し、取得した小切束Ｋの側面画像をシェーディング補正し、補正後の小切束Ｋの側面画像データを得た。
【００６１】
次に、中央演算処理装置によって、小切束Ｋの右側の短辺の側面画像を、あらかじめコンピュータのハードディスクに登録している小切束２Ｋの右側の短辺の平均側面画像と比較し、類似度を算出し、類似度から平均値を算出し、平均値とあらかじめハードディスクに登録している上限値及び下限値の基準値と比較した。小切束Ｋの平均値は、基準値外であったため、「偽」と判定された。
【００６２】
次に、小切束２Ｋが、小切束２Ｋの右側の短辺の平均側面画像と比較し、「真」と判定されるように実施を行った。照射部にはＬＥＤライトを用いて、光源を照射し、撮影部には、ＣＣＤラインカメラで側面画像を取得し、取得した小切束２Ｋの側面画像をシェーディング補正し、補正後の小切束２Ｋの側面画像データを得た。
【００６３】
次に、中央演算処理装置によって、小切束２Ｋの右側の短辺の側面画像を、あらかじめコンピュータのハードディスクに登録している小切束２Ｋの右側の短辺の平均側面画像と比較し、類似度を算出し、類似度から平均値を算出し、平均値とあらかじめハードディスクに登録している上限値及び下限値の基準値と比較した。小切束Ｋの平均値は、基準値内であったため、「真」と判定された。
【符号の説明】
【００６４】
１      印刷物
１０    大判シート
１０’  シートの積層体
２０Ａ、２０Ｂ  簡易機器
２０Ｂ  簡易機器
２１    照射部
２１Ａ  第１の照射部
２１Ｂ  第２の照射部
２２  撮影部
２２Ａ  第１の撮影部
２２Ｂ  第２の撮影部
２３  演算部
２４  記憶部
Ｋ      小切束
２Ｋ    小切束と反転した小切束を重ねた小切束
Ｊ      連続地紋画線
Ｄ１    クランプで抑えられた小切束の側面
Ｄ２    クランプで抑えられない小切束の側面
ＤＪ１    側面Ｄ１から視認できる連続地紋画線
ＤＪ２    側面Ｄ２から視認できる連続地紋画線
Ａ１、Ａ２    短冊
Ｙ      余白
Ｂ      バックフェンス
Ｐ      クランプ
Ｈ      断裁刃
【図１】
2012083957.tif 000003
【図２】
2012083957.tif 000004
【図３】
2012083957.tif 000005
【図４】
2012083957.tif 000006
【図５】
2012083957.tif 000007
【図６】
2012083957.tif 000008
【図７】
2012083957.tif 000009
【図８】
2012083957.tif 000010
【図９】
2012083957.tif 000011
【図１０】
2012083957.tif 000012
【図１１】
2012083957.tif 000013